(57)【特許請求の範囲】
【請求項１】
或る波長の光を透過させる光学機能層と、前記光学機能層の一方の主面と向き合い、前記波長の光を吸収する光吸収パターンと、前記光学機能層の他方の主面と向き合い、前記波長の光を反射させる光反射層とを備え、前記光反射層は、加熱することによって前記波長における吸収率が高まるように構成されたラベル。
【請求項２】
前記光反射層の一部は、加熱によって、前記光反射層の他の一部と比較して、前記波長における吸収率が高められている請求項１に記載のラベル。
【請求項３】
前記波長の光で照明したときに、前記光吸収パターンの少なくとも一部と、前記光反射層のうち加熱することによって前記波長における吸収率が高められた部分の少なくとも一部との組み合わせが１つの情報を表示するように構成された請求項２に記載のラベル。
【請求項４】
前記波長の光で照明したときに、前記光吸収パターンの少なくとも一部と、前記光反射層のうち加熱することによって前記波長における吸収率が高められた部分の少なくとも一部とが、互いから独立した情報を表示するように構成された請求項２又は３に記載のラベル。
【請求項５】
前記波長は赤外領域内にあり、前記光学機能層は黒色層である請求項１乃至４の何れか１項に記載のラベル。
【請求項６】
前記波長は近赤外領域内にあり、前記光学機能層の前記波長における透過率は３０％以上であり、前記光学機能層は、前記波長における透過率と、近赤外領域の７００乃至８００ｎｍの波長域及び近赤外領域の８００乃至１５００ｎｍの波長域内のいずれかの波長における透過率との差が１０％以上である請求項５に記載のラベル。
【請求項７】
請求項１乃至６の何れか１項に記載のラベルと、前記ラベルの前記光反射層側の主面と向き合った粘着層とを具備した粘着ラベル。
【請求項８】
請求項１乃至６の何れか１項に記載のラベルと、
前記ラベルの前記光反射層側の主面と向き合った印刷基材と、
前記ラベルと前記印刷基材との間に介在して、前記ラベルを前記印刷基材に貼り付けた粘着層と
を具備した印刷物。
【発明の詳細な説明】
【技術分野】
【０００１】
本発明は、例えば偽造防止に利用可能なラベル並びにそれを含んだ粘着ラベル及び印刷物に関する。
【背景技術】
【０００２】
近年、偽造品の流通が大きな社会問題となっている。そこで、例えば、物品に、それが真正品であることを確認可能とするラベルを付することがある。そのようなラベル、所謂偽造防止ラベルとしては、例えば、蛍光インキ及びＯＶＩ（optically variable ink）などの機能性インキによって形成した印刷層を含んだラベル、マイクロ印刷及び凹版印刷などの特殊印刷によって形成した印刷層を含んだラベル、ホログラム又は回折格子を含んだラベル、磁気記録によって情報を書き込んだラベル、並びにＩＣ（integrated circuit）タグを含んだラベルがある。
【０００３】
これら偽造防止ラベルの多くは、それ自体の偽造が困難である。但し、偽造防止ラベルの中には、これが貼り付けられた物品から比較的容易に剥がすことができるものがある。そのようなラベルは、使用済みの物品から剥がして偽造品に貼り付けるといった不正行為に使用される可能性がある。
【０００４】
偽造防止ラベルの中には、その再使用を不可能とするための対策を講じたものもある。
【０００５】
例えば、一部の偽造防止ラベルには、切欠きが設けられている。そのような偽造防止ラベルは、これが貼り付けられた物品から引き剥がそうとすると、切欠きの位置から裂けるように設計されている。
【０００６】
また、基材が比較的小さな力で脆性破壊を生じる偽造防止ラベルもある。このようなラベルも、これが貼り付けられた物品から引き剥がそうとすると破壊されるように設計されている。
【０００７】
更に、比較的小さな力で脆性破壊を生じる脆性層を含み、この脆性層とその観察者側の面に隣接した層との接着強度が場所によって異なっている偽造防止ラベルもある。このようなラベルを、これが貼り付けられた物品から引き剥がすと、接着強度の分布に対応したパターンで脆性層が破壊される。その結果、例えば、脆性層等の一部は物品上に文字列「ＶＯＩＤ」に対応したパターンで残り、偽造防止ラベルの脆性層等には、文字列「ＶＯＩＤ」に対応したパターンの欠落部を生じる。
【０００８】
これら偽造防止ラベルは、引き剥がすことによって物品から剥離した場合には、再使用は不可能であるか又は困難である。しかしながら、これら偽造防止ラベルは、粘着層又は接着層に有機溶剤を滲み込ませると、ラベル本体の損傷なしに剥離できることがある。
【０００９】
これを不可能又は困難とするための技術を採用した偽造防止ラベルもある。  
例えば、粘着層の材料として、粘着剤とこれに対して難溶性の添加剤との混合物を使用した偽造防止ラベルがある（例えば、特許文献１参照）。この偽造防止ラベルは、有機溶剤を使用して剥離した場合、粘着剤及び添加剤の有機溶剤に対する溶け易さの相違に起因して、粘着層の表面に凹凸を生じる。
【００１０】
また、印刷層が有機溶剤に可溶な染料を含有した偽造防止ラベルもある（例えば、特許文献２参照）。この偽造防止ラベルは、有機溶剤を使用して剥離しようとすると、染料が印刷層から滲み出る。
【００１１】
なお、このラベルは、ドライヤ等で表面を温めることによって、ラベル本体の損傷や染料の染み出しなしに剥離することができる。加熱による剥離への対策を施した偽造防止ラベルとしては、例えば、加熱によって発泡する発泡粒子を粘着層に含有させた偽造防止ラベルがある（例えば、特許文献３参照）。
【００１２】
これら偽造防止ラベルは、有機溶剤又は熱を利用して剥離した場合には、再使用が不可能であるか又は困難である。但し、使用期間を終えた物品については、偽造防止ラベルが、これが貼り付けられた物品の表層とともに除去される可能性を考慮しなければならない。上述した対策では、このようにして除去した偽造防止ラベルの再使用を防ぐことはできない。
【先行技術文献】
【特許文献】
【００１３】
【特許文献１】特開２００５―２６６１４７号公報
【特許文献２】特開平１０−２０４３６３号公報
【特許文献３】特開２０００−２９３１０８号公報
【発明の概要】
【発明が解決しようとする課題】
【００１４】
本発明の目的は、物品に貼り付けられたラベルが、その物品の使用期間を終了した後に再使用されるのを抑制可能とすることにある。
【課題を解決するための手段】
【００１５】
本発明の第１側面によると、或る波長の光を透過させる光学機能層と、前記光学機能層の一方の主面と向き合い、前記波長の光を吸収する光吸収パターンと、前記光学機能層の他方の主面と向き合い、前記波長の光を反射させる光反射層とを備え、前記光反射層は、加熱することによって前記波長における吸収率が高まるように構成されたラベルが提供される。
【００１６】
本発明の第２側面によると、前記光反射層の一部は、加熱によって、前記光反射層の他の一部と比較して、前記波長における吸収率が高められている第１側面に係るラベルが提供される。
【００１７】
本発明の第３側面によると、前記波長の光で照明したときに、前記光吸収パターンの少なくとも一部と、前記光反射層のうち加熱することによって前記波長における吸収率が高められた部分の少なくとも一部との組み合わせが１つの情報を表示するように構成された第２側面に係るラベルが提供される。
【００１８】
本発明の第４側面によると、前記波長の光で照明したときに、前記光吸収パターンの少なくとも一部と、前記光反射層のうち加熱することによって前記波長における吸収率が高められた部分の少なくとも一部とが、互いから独立した情報を表示するように構成された第２又は第３側面に係るラベルが提供される。
【００１９】
本発明の第５側面によると、前記波長は赤外領域内にあり、前記光学機能層は黒色層である第１乃至第４側面の何れか１つに係るラベルが提供される。
【００２０】
本発明の第６側面によると、前記波長は近赤外領域内にあり、前記光学機能層の前記波長における透過率は３０％以上であり、前記光学機能層は、前記波長における透過率と、近赤外領域の７００乃至８００ｎｍの波長域及び近赤外領域の８００乃至１５００ｎｍの波長域内のいずれかの波長における透過率との差が１０％以上である第５側面に係るラベルが提供される。
【００２１】
本発明の第７側面によると、第１乃至第６側面の何れか１つに係るラベルと、前記ラベルの前記光反射層側の主面と向き合った粘着層とを具備した粘着ラベルが提供される。
【００２２】
本発明の第８側面によると、第１乃至第６側面の何れかに係るラベルと、前記ラベルの前記光反射層側の主面と向き合った印刷基材と、前記ラベルと前記印刷基材との間に介在して、前記ラベルを前記印刷基材に貼り付けた粘着層とを具備した印刷物が提供される。
【発明の効果】
【００２３】
本発明によると、物品に貼り付けられたラベルが、その物品の使用期間を終了した後に再使用されるのを抑制することが可能となる。
【００２４】
第１側面に係るラベルを加熱すると、光反射層の上記波長（以下、「第１波長」という）における吸収率が高くなる。即ち、加熱前においては、このラベルのうち、光吸収パターンに対応した第１部分は、これと隣り合った第２部分と比較して、第１波長における反射率がより小さい。それ故、このラベルは、加熱前には、第１部分に対応したパターンの第１画像を表示する。そして、光反射層を加熱すると、第２部分は、第１波長における反射率がより小さくなる。それ故、このラベルは、全体を加熱した後には、第１波長の光で照明した場合に、第１画像を加熱前と比較してより低いコントラスト比で表示するか、又は、第１画像を表示しない。また、このラベルは、一部のみを加熱した後には、第１波長の光で照明した場合に、第１画像とは異なる第２画像を表示する。それ故、例えば、このラベルを貼り付けた物品がその使用期間を終了したときに、ラベルの一部又は全体を加熱する無効化処理を行うこととすれば、真正品であるかが不明の物品に貼り付けられたラベルが第１波長の光で照明した場合に表示する画像と、加熱前のラベルが第１波長の光で照明した場合に表示する画像とを比較することによって、先の物品の真偽を判定することができる。従って、不正行為を行う者を牽制することができ、それ故、物品に貼り付けられたラベルが、その物品の使用期間を終了した後に再使用されるのを抑制することができる。
【００２５】
第２側面に係るラベルでは、光反射層の一部は、加熱することによって、光反射層の他の一部と比較して、第１波長における吸収率が高められている。それ故、物品の使用期間を終了する前に、このラベルが第１波長の光で照明した場合に表示する画像の形状は、光吸収パターンの形状とは一致しない。従って、例えば、このラベルと材料及び層構造が同一なラベルが流通した場合、その光反射層の第１波長における吸収率が部分的に高められていないか、又は、光反射層のうち第１波長における吸収率が高められた部分の形状が真正品としてのラベルのそれとは異なっていれば、上述した画像の比較を行うことによって、先のラベルが偽造品であると判別することができる。
【００２６】
第３側面に係るラベルは、第２側面に係るラベルのうち、第１波長の光で照明したときに、光吸収パターンの少なくとも一部と、光反射層のうち加熱することによって第１波長における吸収率が高められた部分の少なくとも一部との組み合わせが１つの情報を表示するように構成されたものである。通常、光反射層のうち加熱によって第１波長における吸収率が高められた部分は、光吸収パターンとは反射スペクトルが異なっている。それ故、それらが第１波長の光で照明したときに表示する画像は、それらが第１波長とは異なる第２波長の光で照明したときに表示する画像とは異なっている可能性がある。従って、第１波長の光を利用することを知らない者にとっては、先の情報を読み取ることは困難である。
【００２７】
第４側面に係るラベルは、第２又は第３側面に係るラベルのうち、第１波長の光で照明したときに、光吸収パターンの少なくとも一部と、光反射層のうち加熱することによって第１波長における吸収率が高められた部分の少なくとも一部とが、互いから独立した情報を表示するように構成されたものである。上記と同様に、第１波長の光を利用することを知らない者にとっては、光反射層のうち第１波長における吸収率が高められた部分が表示する情報を読み取ることは困難である。
【００２８】
第５側面に係るラベルでは、第１波長は赤外領域内にあり、光学機能層は黒色層である。なお、ここで「黒色」とは、正反射光の強度を測定したときに、波長が４００ｎｍ乃至７００ｎｍの範囲内にある全ての光成分について、反射率が１０％以下であることを意味している。
【００２９】
光反射層に使用する材料の多くは、加熱によって発色又は変色する。光反射層が発色又は変色していることが肉眼による観察によって知覚可能であると、このラベルを利用して真偽判定を行っていることが、不正行為を行う者に容易に悟られる。第５側面に係るラベルでは、光反射層の少なくとも一部は光学機能層によって隠蔽されているため、この部分を加熱すれば、このラベルを利用して真偽判定を行っていることは、不正行為を行う者に悟られ難くなる。
【００３０】
第６側面に係るラベルは、第５側面に係るラベルのうち、第１波長が近赤外領域内にあり、光学機能層の第１波長における透過率が３０％以上であり、前記光学機能層は、前記波長における透過率と、近赤外領域の７００乃至８００ｎｍの波長域及び近赤外領域の８００乃至１５００ｎｍの波長域内のいずれかの波長における透過率との差が１０％以上であるものである。即ち、光学機能層の近赤外領域における透過スペクトルは、第１波長において高い透過率を示し、第１波長における透過率と、前記近赤外領域の７００乃至８００ｎｍの波長域及び近赤外領域の８００乃至１５００ｎｍの波長域内のいずれかの波長における透過率との差が１０％以上となる。従って、真偽判定に第１波長の光を利用することを知らない者にとっては、無効化処理を行う前のラベルと無効化処理を行った後のラベルとの相違を判別することは不可能であるか又は困難である。それ故、上記の無効化処理を利用した偽造防止対策を講じていることは、不正行為を行う者に悟られ難い。
【００３１】
第７側面に係る粘着ラベルは、第１乃至第６側面の何れか１つに係るラベルを含んでいる。粘着ラベルは、先のラベルを物品に貼り付ける場合に利用可能な一形態である。
【００３２】
第８側面に係る印刷物は、第１乃至第６側面の何れか１つに係るラベルを含んでいる。この印刷物は、その使用期間を終了した後にラベルが再使用される可能性が低い。
【図面の簡単な説明】
【００３３】
【図１】本発明の一態様に係るラベルを概略的に示す平面図。
【図２】図１に示すラベルのＩＩ−ＩＩ線に沿った断面図。
【図３】真偽判定に利用可能な画像表示システムの一例を概略的に示す図。
【図４】図１及び図２に示すラベルに記録された情報を、図３に示す画像表示システムによって可視化してなる画像の一例を概略的に示す図。
【図５】図１及び図２に示すラベルの無効化処理法の一例を概略的に示す図。
【図６】図５に示す方法によって無効化したラベルに記録された情報を、図３に示す画像表示システムによって可視化してなる画像の一例を概略的に示す図。
【図７】図１及び図２に示すラベルの一変形例を概略的に示す断面図。
【図８】図７に示すラベルに記録された情報を、図３に示す画像表示システムによって可視化してなる画像の一例を概略的に示す図。
【図９】参考例に係るラベルを概略的に示す平面図。
【図１０】図９に示すラベルのＸ−Ｘ線に沿った断面図。
【図１１】粘着ラベルの一例を概略的に示す断面図。
【図１２】印刷物の一例を概略的に示す断面図。
【発明を実施するための形態】
【００３４】
以下、本発明の態様について、図面を参照しながら詳細に説明する。なお、同様又は類似した機能を発揮する構成要素には全ての図面を通じて同一の参照符号を付し、重複する説明は省略する。
【００３５】
図１は、本発明の一態様に係るラベルを概略的に示す平面図である。図２は、図１に示すラベルのＩＩ−ＩＩ線に沿った断面図である。
【００３６】
図１及び図２に示すラベル１は、基材１１と、光反射層１２と、光学機能層１３と、光吸収パターン１４とを含んでいる。光反射層１２、光学機能層１３及び光吸収パターン１４は、この順で基材１１上に積層されている。ラベル１は、光吸収パターン１４側の面が前面であり、基材１１側の面が背面である。
【００３７】
光吸収パターン１４、光学機能層１３及び光反射層１２は、この順で基材１１上に積層されていてもよい。この場合、ラベル１は、基材１１側の面が前面であり、光反射層１２側の面が背面である。
【００３８】
基材１１は、例えば、樹脂からなるフィルムである。この樹脂としては、ポリエチレンテレフタレート、ポリエチレンナフタレート、ポリプロピレン、ポリカーボネート及びポリエチレンなどのプラスチックを使用することができる。基材は、典型的には透明であるが、アルミニウム箔のように不透明であってもよい。但し、ラベル１の基材１１側の面を前面とする場合、基材１１としては、第１波長の光を、典型的には互いに異なる第１及び第２波長の光を透過させるものを使用する。
【００３９】
基材１１は、単層構造を有していてもよく、多層構造を有していてもよい。基材１１は省略することができる。
【００４０】
光反射層１２は、基材１１の一方の主面上に設けられている。  
光反射層１２は、少なくともラベル１の完成から無効化温度（即ち、無効化処理としての熱処理の温度）以上に加熱されるまでの期間に亘り、第１波長の光を反射させる。そして、光反射層１２は、加熱することによって、例えば、無効化温度以上に加熱することによって、第１波長における吸収率が高まるように構成されている。
【００４１】
ラベル１の製造直後において、第１波長の光に対する光反射層１２の反射率Ｒ１は、例えば、５０乃至１００％の範囲内にあり、典型的には６０乃至８０％の範囲内にある。また、無効化処理後において、第１波長の光に対する光反射層１２の反射率Ｒ２は、例えば、０乃至３０％の範囲内にあり、典型的には５乃至２０％の範囲内にある。そして、反射率Ｒ２と反射率Ｒ１との比は、例えば、０．６以下の範囲内にあり、典型的には０．０６乃至０．３３の範囲内にある。
【００４２】
光反射層１２は、例えば、無効化温度以上に加熱することによって発色する感熱発色剤を含んでいる。感熱発色剤は、例えば、無効化温度以上に加熱されるまでの期間に亘って無色であり、無効化温度以上に加熱することによって発色する。或いは、感熱発色剤は、例えば、無効化温度以上に加熱されるまでの期間に亘って或る色に着色しており、無効化温度以上に加熱することによって変色する。なお、光反射層１２が感熱発色剤を含んでいる場合、典型的には、光反射層１２は、無効化温度以上に加熱することによって発色又は変色する。
【００４３】
ここでは、一例として、光反射層１２は、発色又は変色することによって、近赤外線領域の少なくとも一部の波長域における吸収率が高まる感熱発色剤を含んでいることとする。ここで、「近赤外線領域」は、７００乃至１５００ｎｍの波長域を意味することとする。また、第１波長は、近赤外線領域のうち、発色又は変色によって吸収率が高まる波長域内にあることとする。
【００４４】
感熱発色剤としては、例えば、ロイコ染料などの染料と顕色剤との組み合わせを使用することができる。或いは、特開昭５９−１９９７５７号公報に記載のフルオレン化合物及び特開昭６２−２４３６５３号公報に記載のジビニル化合物などの感熱発色性化合物を用いることができる。また、例えば、特開平６−２４１４０号公報、特開平７−１７２０５０号公報及び特開平１０−１００５４４号公報などに記載の感熱発色性組成物を用いてもよい。
【００４５】
光反射層１２は、他の成分を更に含むことができる。例えば、光反射層１２は、感熱発色剤を分散させる分散媒として樹脂を更に含んでいてもよい。この樹脂としては、例えば、プロセスインキにおいて一般に使用されているものを使用することができる。
【００４６】
光反射層１２は、例えば、印刷法により形成する。この印刷法としては、例えば、オフセット印刷法、グラビア印刷法、スクリーン印刷法、及びフレキソ印刷法が挙げられる。光反射層１２の厚さは、例えば１乃至２０μｍの範囲内とし、典型的には３乃至１５μｍの範囲内とする。
【００４７】
光学機能層１３は、光反射層１２上に設けられている。光学機能層１３は、第１波長の光を透過させる。第１波長の光に対する光学機能層１３の透過率は、例えば３０％以上であり、典型的には３０乃至６０％の範囲内にある。
【００４８】
光学機能層１３は、典型的には着色している。光学機能層１３が着色している場合、特に光学機能層１３が黒色に着色している場合、光反射層１２が加熱によって発色又は変色していたとしても、ラベル１を前面側から肉眼で観察しただけでは、そのことを知覚することは不可能であるか又は困難である。即ち、光学機能層１３が着色している場合、後述する無効化処理を行ったことが気付かれ難い。ここでは、一例として、光学機能層１３は黒色を呈していることとする。
【００４９】
第１波長が近赤外領域内にある場合、光学機能層１３として、第１波長における透過率が３０％以上であり、前記光学機能層は、第１波長における透過率と、近赤外領域の７００乃至８００ｎｍの波長域及び近赤外領域の８００乃至１５００ｎｍの波長域内のいずれかの波長における透過率との差が１０％以上であるものを使用してもよい。
【００５０】
上記の光学特性、即ち、近赤外領域内の光のうち、一部の波長域の光を選択的に透過させ、残りの光を吸収する光学特性を有している光学機能層１３は、例えば、所定の近赤外線吸収剤と樹脂とを含んでいる。この近赤外線吸収剤としては、例えば、フタロシアニン化合物、ナフタロシアニン化合物、アントラキノン化合物、ジイモニウム化合物、及びシアニン化合物からなる群より選択される少なくとも１つを使用することができる。また、樹脂としては、例えば、プロセスインキにおいて一般に使用されているものを使用することができる。
【００５１】
光学機能層１３は、例えば、印刷法により形成する。この印刷法としては、例えば、オフセット印刷法、グラビア印刷法、スクリーン印刷法、及びフレキソ印刷法が挙げられる。光学機能層１３の厚さは、例えば０．５乃至１０μｍの範囲内とし、典型的には１乃至５μｍの範囲内とする。
【００５２】
光吸収パターン１４は、光学機能層１３上に設けられている。光吸収パターン１４は、光学機能層１３を間に挟んで光反射層１２の一部と向き合っている。図１及び図２に示す例では、光吸収パターン１４は、一次元コードを構成している。光吸収パターン１４は、二次元コードを構成していてもよい。或いは、光吸収パターン１４は、文字、記号、模様及び図形などの他のパターンを構成していてもよい。
【００５３】
光吸収パターン１４は、第１波長の光を吸収する。具体的には、光吸収パターン１４の第１波長における吸収率は、ラベル１の製造直後における光反射層１２の第１波長における吸収率及び光学機能層１３の第１波長における吸収率と比較してより大きい。第１波長の光に対する光吸収パターン１４の吸収率は、例えば７０％以上であり、典型的には８０％以上である。
【００５４】
第１波長が近赤外領域内にある場合、光吸収パターン１４は、例えば、近赤外線吸収剤と樹脂とを含有している。この樹脂としては、例えば、プロセスインキにおいて一般に使用されているものを使用することができる。
【００５５】
ここで使用する近赤外線吸収剤は、典型的には、光学機能層１３において使用する近赤外線吸収剤とは、近赤外線領域の吸収スペクトルが異なっている。例えば、ここで使用する近赤外線吸収剤は、光学機能層１３において使用する近赤外線吸収剤と比較して、第１波長の光に対する吸収率がより大きい。この近赤外線吸収剤としては、例えば、プロセス墨インキに用いられているカーボンブラックを使用することができる。或いは、この近赤外線吸収剤として、光学機能層１３の近赤外線吸収剤として例示した化合物を使用してもよい。
【００５６】
光吸収パターン１４は、光学機能層１３と同色にするか、又は、第１波長の光に対して十分な吸収率を示す限り、薄い色にすることが好ましい。こうすると、ラベル１を肉眼で観察した場合に、光吸収パターン１４の存在が分かり難くなる。
【００５７】
光吸収パターン１４は、光反射層１２に対応した領域のほぼ全体に亘って分布していることが望ましい。こうすると、光学機能層１３の分光特性の解析を困難とすることができる。
【００５８】
光吸収パターン１４は、例えば、印刷法により形成する。この印刷法としては、例えば、オフセット印刷法、グラビア印刷法、スクリーン印刷法、及びフレキソ印刷法が挙げられる。或いは、光吸収パターン１４は、熱転写リボン、インクジェット印字、又はレーザー印字を用いて形成してもよい。光吸収パターン１４の厚さは、例えば０．５乃至１０μｍの範囲内とし、典型的には０．５乃至２μｍの範囲内とする。
【００５９】
次に、このラベル１を利用した真偽判定方法について説明する。  
まず、このラベル１を偽造防止ラベルとして使用した場合に真偽判定に利用可能な画像表示システムについて説明する。
【００６０】
図３は、真偽判定に利用可能な画像表示システムの一例を概略的に示す図である。  
図３に示すシステムは、２つの光源３１と、撮像装置３２と、画像表示装置３６と、光学フィルタ３８とを含んでいる。
【００６１】
光源３１は、例えば、赤外線ＬＥＤ（light-emitting diode）である。光源３１は、図示しない載置台上に前面が上向きになるように載置されたラベル１に対して斜め上方に設置されている。光源３１の一方は省略してもよい。また、３つ以上の光源３１を設けてもよい。複数の光源３１を設ける場合、それら光源３１が放射する光のスペクトルは、同一であってもよく、異なっていてもよい。後者の場合、例えば、第１波長の光を放射する光源３１と、第２波長の光を放射する光源３１とを配置し、それらを交互に点灯可能な構成を採用してもよい。
【００６２】
撮像装置３２は、例えば、ＣＣＤ（charge-coupled device）カメラである。撮像装置３２は、ラベル１の前面と正対するように設置されている。
【００６３】
画像表示装置３６は、撮像装置３２に接続されている。画像表示装置３６は、撮像装置３２が撮影した画像を表示する。
【００６４】
光学フィルタ３８は、第１及び第２波長の光を透過させ、他の波長の少なくとも一部を吸収する。例えば、光学フィルタ３８は、可視光を吸収し、赤外光の少なくとも一部を透過させる可視光カットフィルタである。光学フィルタ３８は、ラベル１と撮像装置３２との間に設置されている。
【００６５】
図４は、図１及び図２に示すラベルに記録された情報を、図３に示す画像表示システムによって可視化してなる画像の一例を概略的に示す図である。
【００６６】
製造直後のラベル１の前面を肉眼で観察した場合、例えば、その全体が黒色に見える。これに対し、図３に示すシステムを用いて、製造直後のラベル１を、光源３１が放射する第１波長の光で照明しながら撮像装置３２で撮影すると、画像表示装置３６は、光吸収パターン１４に対応した領域が黒く、ラベル１の他の部分に対応した領域が白い画像Ｉ１を表示する。即ち、この場合、潜像を可視化すること、例えばＰＣＳ（print contrast signal）値が０．７５以上の可視像を表示することができる。
【００６７】
なお、第１波長の光を放射する光源３１を消灯し、第２波長の光を放射する光源３１を点灯すると、画像表示装置３６は、例えば、全体が黒い画像を表示するか、又は、画像Ｉ１をより低いコントラスト比で、例えば０．７５未満のＰＣＳ値で表示する。
【００６８】
次に、ラベル１の無効化処理について説明する。  
図５は、図１及び図２に示すラベルの無効化処理法の一例を概略的に示す図である。
【００６９】
図５に示す無効化処理法では、サーマルヘッド４１をラベル１に接触あるいは走査させて、光反射層１２の少なくとも一部を加熱する。図５には、光反射層１２の一部のみを加熱する例を示している。
【００７０】
この無効化処理を行うと、サーマルヘッド４１がラベル１と接触した位置で、第１波長における光反射層１２の吸収率が高まる。その結果、光反射層１２内に、第１波長における光反射層１２の吸収率が無効化処理前のままである非加熱部１２ａと、第１波長における光反射層１２の吸収率が無効化処理前と比較してより高い加熱部１２ｂとが生じる。
【００７１】
なお、上記の通り、光反射層１２は、加熱によって発色又は変色することがある。光反射層１２の色変化が小さい場合、又は、光学機能層１３の可視光線透過率が小さい場合、無効化処理前後での光反射層１２の色の相違を、肉眼による観察で判別することは不可能又は困難である。
【００７２】
図６は、図５に示す方法によって無効化したラベルに記録された情報を、図３に示す画像表示システムによって可視化してなる画像の一例を概略的に示す図である。
【００７３】
図３に示すシステムを用いて、無効化処理後のラベル１を、光源３１が放射する第１波長の光で照明しながら撮像装置３２で撮影すると、画像表示装置３６は、光吸収パターン１４又は加熱部１２ｂに対応した領域が黒く、ラベル１の他の部分に対応した領域が白い画像Ｉ２を表示する。即ち、この場合、画像表示装置３６は、図４の画像Ｉ１とは異なる画像Ｉ２を表示する。
【００７４】
画像Ｉ２のうち、光吸収パターン１４に対応した第１領域と、加熱部１２ｂの光吸収パターン１４と向き合っていない部分に対応した第２領域とは、明るさが等しくてもよく、異なっていてもよい。後者の場合、画像Ｉ１のうち、第１領域に対応した領域を第３領域とし、第２領域に対応した領域を第４領域とすると、第１及び第２領域のコントラスト比が、第３及び第４領域のコントラスト比と比較してより小さければよい。
【００７５】
上述したラベル１には、様々な変形が可能である。  
図７は、図１及び図２に示すラベルの一変形例を概略的に示す断面図である。図８は、図７に示すラベルに記録された情報を、図３に示す画像表示システムによって可視化してなる画像の一例を概略的に示す図である。
【００７６】
図７に示すラベル１は、以下の構成を採用したこと以外は、図１及び図２を参照しながら説明したラベル１と同様である。即ち、このラベル１では、光反射層１２を部分的に加熱して、光反射層１２内に非加熱部１２ａと加熱部１２ｂとを設けている。
【００７７】
図３に示すシステムを用いて、図７に示すラベル１を、光源３１が放射する第１波長の光で照明しながら撮像装置３２で撮影すると、画像表示装置３６は、光吸収パターン１４又は加熱部１２ｂに対応した領域が黒く、ラベル１の他の部分に対応した領域が白い画像Ｉ３を表示する。即ち、この場合、画像表示装置３６は、肉眼で観察したときにラベル１が表示する画像とは異なる画像Ｉ３を表示する。それ故、例えば、肉眼で観察したときにラベル１が表示する画像を、ダミー情報として利用することができる。
【００７８】
なお、図７に示す例では、加熱部１２ｂと光吸収パターン１４とを、基材１１の主面への加熱部１２ｂの正射影と、先の主面への光吸収パターン１４の正射影とが同一の領域内に位置するように配置している。即ち、図７の例では、光吸収パターン１４の少なくとも一部と加熱部１２ｂの少なくとも一部との組み合わせが１つの情報を表示する構成を採用している。
【００７９】
その代わりに、加熱部１２ｂと光吸収パターン１４とを、基材１１の主面への加熱部１２ｂの正射影と、先の主面への光吸収パターン１４の正射影とが、別々の領域内に位置するように配置してもよい。即ち、光吸収パターン１４の少なくとも一部と、加熱部１２ｂの少なくとも一部とが、互いから独立した情報を表示する構成を採用してもよい。
【００８０】
ここで、参考例について説明する。  
図９は、参考例に係るラベルを概略的に示す平面図である。図１０は、図９に示すラベルのＸ−Ｘ線に沿った断面図である。
【００８１】
図９及び図１０に示すラベル１’は、光吸収パターン１４を省略したこと以外は、図７を参照しながら説明したラベル１とほぼ同様の構造を有している。
【００８２】
このラベル１’は、肉眼で観察した場合には、全体が黒色の画像を表示する。そして、図３に示すシステムを用いて、このラベル１’を、光源３１が放射する第１波長の光で照明しながら撮像装置３２で撮影すると、画像表示装置３６は、加熱部１２ｂに対応した領域が黒く、非加熱部１２ａに対応した領域が白い画像Ｉ３を表示する。即ち、この場合、画像表示装置３６は、肉眼で観察したときにラベル１’が表示する画像とは異なる画像を表示する。
【００８３】
このラベル１’の無効化処理においては、非加熱部１２ａの少なくとも一部を加熱部１２ｂへと変化させる。図３に示すシステムを用いて、無効化処理後のラベル１’を、光源３１が放射する第１波長の光で照明しながら撮像装置３２で撮影すると、画像表示装置３６は、加熱部１２ｂに対応した領域が黒く、非加熱部１２ａに対応した領域が白い画像Ｉ３を表示する。加熱部１２ｂは無効化処理によって拡大しているので、無効化処理後において画像表示装置３６が表示する画像は、無効化処理前において画像表示装置３６が表示する画像とは異なっている。
【００８４】
このように、光吸収パターン１４を省略すると、これに由来する効果を得ることはできない。但し、その他の効果を得ることは可能である。
【００８５】
次に、上述したラベル１を含んだ粘着ラベル及び印刷物を説明する。
【００８６】
図１１は、粘着ラベルの一例を概略的に示す断面図である。  
図１１に示す粘着ラベル１０は、図１及び図２を参照しながら説明したラベル１と、粘着層２とを含んでいる。粘着層２は、ラベル１の背面上に設けられている。
【００８７】
この粘着ラベル１０は、例えば、真正品であることを確認可能であることが望まれる物品に貼り付ける。なお、粘着ラベル１０は、粘着層２の表面を剥離可能に被覆した剥離紙を更に含んでいてもよい。
【００８８】
図１２は、印刷物の一例を概略的に示す断面図である。  
図１２に示す印刷物１００は、図１及び図２を参照しながら説明したラベル１と、粘着層２と、印刷物本体３とを含んでいる。ラベル１は、粘着層２を介して印刷物本体３に貼り付けられている。
【００８９】
印刷物本体３は、印刷基材３ａと印刷層３ｂとを含んでいる。
【００９０】
印刷基材３ａは、例えば、紙、プラスチック、木材、ガラス又は樹脂からなる。印刷基材３ａは、単層構造を有していてもよく、多層構造を有していてもよい。印刷基材３ａは、層形状を有していてもよく、他の形状を有していてもよい。
【００９１】
印刷層３ｂは、印刷基材３ａ上に設けられている。印刷層３ｂは、印刷基材３ａの全体を被覆していてもよく、一部のみを被覆していてもよい。
【００９２】
この印刷物１００について、その使用期間終了後に上記の無効化処理を行うこととする。こうすると、真正品であるかが未知の印刷物について、例えば図３を参照しながら説明した画像表示システムを利用することにより、ラベル１が再使用されたものであるか否かを判別することができる。即ち、真正品であるかが未知の印刷物の真偽判定が可能である。従って、不正行為を行う者を牽制することができ、それ故、物品に貼り付けられたラベルが、その物品の使用期間を終了した後に再使用されるのを抑制することができる。その結果、印刷物１００の偽造を抑制することができる。
【実施例】
【００９３】
以下に、本発明の例を記載する。
【００９４】
＜例１＞
図１及び図２を参照しながら説明したラベル１を、以下の方法により製造した。
【００９５】
まず、基材１１として白色系の上質タック紙を準備した。次いで、この基材１１の一方の主面全体に、バーコータを用いて、以下に組成を示すインキＡを乾燥膜厚が１０μｍになるように塗布した。この塗膜を乾燥させることにより、光反射層１２を得た。
【００９６】
次いで、光反射層１２の全面に、オフセット印刷法により、以下に組成を示すインキＢを乾燥膜厚が１μｍになるよう印刷した。更に、この塗膜に紫外線を照射した。これにより、光学機能層１３を得た。
【００９７】
その後、光学機能層１３上に、プロセス墨インキを乾燥膜厚が０．５μｍになるように印刷して、二次元コードパターンとしての光吸収パターン１４を形成した。以上のようにして、ラベル１を完成した。
【００９８】
［インキＡの組成］
赤外吸収ロイコ染料（ＮＩＲ  ＢＬＡＣＫ７８：山田化学工業社製）      １質量部
顕色剤（ＴＧ−ＳＨ（Ｈ）：日本化薬社製）                            ７質量部
水系樹脂（ハイドランＡＰ−４０：ＤＩＣ社製）                      １２質量部
［インキＢの組成］
有機系青色顔料（御国色素社製）                                      ５質量部
有機系赤色顔料（御国色素社製）                                      ７質量部
有機系黄色顔料（御国色素社製）                                      ８質量部
ＵＶ硬化型オフセットインキメジウム（ＦＤ  カルトンＡＣＥ  メジウム  ロ：東洋インキ製造社製）                                                      ８０質量部
このラベル１の前面を肉眼で観察したところ、全体が黒色に見えた。
【００９９】
また、図３に示すシステムを用いて、このラベル１を、光源３１が放射する第１波長の光、ここでは波長が８００ｎｍの光で照明しながら撮像装置３２で撮影したところ、画像表示装置３６は、黒色の二次元コードパターンと白色の背景とからなる画像を表示した。即ち、ラベルは、機械読み取りが可能な画像を表示した。
【０１００】
次に、このラベル１に対して無効化処理を行った。具体的には、図５を参照しながら説明したように、このラベル１に、その前面側からサーマルヘッド４１で約１２０℃の熱を加えた。ラベル１を背面側から肉眼で観察したところ、光反射層が発色したことを確認できた。
【０１０１】
次いで、図３に示すシステムを用いて、このラベル１を、光源３１が放射する第１波長の光、ここでは波長が８００ｎｍの光で照明しながら撮像装置３２で撮影したところ、画像表示装置３６は、光吸収パターン１４又は加熱部１２ｂに対応した領域が黒色に見えた。即ち、二次元コードパターンを正確に読み取ることが不可能となった。
【０１０２】
＜例２＞
図１及び図２を参照しながら説明したラベル１を、以下の方法により製造した。
【０１０３】
まず、基材１１として白色系の上質タック紙を準備した。次いで、この基材１１の一方の主面全体に、バーコータを用いて、上記のインキＡを乾燥膜厚が１０μｍになるように塗布した。この塗膜を乾燥させることにより、光反射層１２を得た。
【０１０４】
次いで、光反射層１２の全面に、オフセット印刷法により、下記組成のインキＣを乾燥膜厚が１μｍになるよう印刷した。更に、この塗膜に紫外線を照射した。これにより、光学機能層１３を得た。
【０１０５】
その後、光学機能層１３上に、プロセス墨インキを乾燥膜厚が０．５μｍになるように印刷して、二次元コードパターンとしての光吸収パターン１４を形成した。以上のようにして、ラベル１を完成した。
【０１０６】
［インキＣの組成］
有機系青色顔料（御国色素社製）                                      ５質量部
有機系赤色顔料（御国色素社製）                                      ７質量部
有機系黄色顔料（御国色素社製）                                      ８質量部
赤外線吸収剤（ＹＫＲ−３０８１：山本化成社製）                      ５質量部
ＵＶ硬化型オフセットインキ用メジウム（ＦＤ  カルトンＡＣＥ  メジウム  ロ：東洋インキ製造社製）                                                    ７５質量部
このラベル１の前面を肉眼で観察したところ、全体が黒色に見えた。
【０１０７】
また、図３に示すシステムを用いて、このラベル１を、光源３１が放射する第１波長の光、ここでは波長が８００ｎｍの光で照明しながら撮像装置３２で撮影したところ、画像表示装置３６は、黒色の二次元コードパターンと白色の背景とからなる画像を表示した。即ち、ラベルは、機械読み取りが可能な画像を表示した。
【０１０８】
但し、図３に示すシステムを用いて、このラベル１を、光源３１が放射する第２波長の光、ここでは波長が９４０ｎｍの光で照明しながら撮像装置３２で撮影したところ、画像表示装置３６は、黒色の二次元コードパターンと灰色の背景とからなる画像を表示した。即ち、波長が８００ｎｍの光で照明した場合と比較してコントラスト比が低下し、二次元コードパターンの機械読み取りが不可能となった。
【０１０９】
次に、このラベル１に対して無効化処理を行った。具体的には、図５を参照しながら説明したように、このラベル１に、その前面側からサーマルヘッド４１で約１２０℃の熱を加えた。ラベル１を背面側から肉眼で観察したところ、光反射層が発色したことを確認できた。
【０１１０】
次いで、図３に示すシステムを用いて、このラベル１を、光源３１が放射する第１波長の光、ここでは波長が８００ｎｍの光で照明しながら撮像装置３２で撮影したところ、画像表示装置３６は、光吸収パターン１４又は加熱部１２ｂに対応した領域が黒色に見えた。即ち、二次元コードパターンを正確に読み取ることが不可能となった。
【符号の説明】
【０１１１】
１…ラベル、１’…ラベル、２…粘着層、３…印刷物本体、３ａ…印刷基材、３ｂ…印刷層、１０…粘着ラベル、１１…基材、１２…光反射層、１２ａ…非加熱部、１２ｂ…加熱部、１３…光学機能層、１４…光吸収パターン、３１…光源、３２…撮像装置、３６…画像表示装置、３８…光学フィルタ、４１…サーマルヘッド、１００…印刷物。
【図１】
0005965602.tif 000002
【図２】
0005965602.tif 000003
【図３】
0005965602.tif 000004
【図４】
0005965602.tif 000005
【図５】
0005965602.tif 000006
【図６】
0005965602.tif 000007
【図７】
0005965602.tif 000008
【図８】
0005965602.tif 000009
【図９】
0005965602.tif 000010
【図１０】
0005965602.tif 000011
【図１１】
0005965602.tif 000012
【図１２】
0005965602.tif 000013